(57)【要約】【課題】コストアップすることなく、かつ電子機器にアクセサリが取り付けられた際も通信効率を損なわないことを可能にした電子機器を提供すること。【解決手段】外部通信機器（２）と近距離無線通信可能な無線送受信手段（３８）を備えた撮像装置（１）において、前記撮像装置（１）には開閉可能な連結部（３７）と、外部通信機器（２）と近距離無線通信可能な無線送受信手段（３８）を有する開閉蓋（３３）とを備えたことを特徴とする。【選択図】  図５（ｂ）
2015203825.tif 000002
【特許請求の範囲】
【請求項１】
外部通信機器（２）と近距離無線通信可能な無線送受信手段（３８）を備えた撮像装置（１）において、
前記撮像装置（１）には開閉可能な連結部（３７）と、外部通信機器（２）と近距離無線通信可能な無線送受信手段（３８）を有する開閉蓋（３３）とを備えたことを特徴とする撮像装置。
【請求項２】
前記開閉可能な蓋は（３３）、撮像装置（１）の外観側面および、少なくともそれと直交した面の一部を有していることを特徴とする請求項１に記載の撮像装置。
【請求項３】
前記無線送受信手段（３８）は、撮像装置（１）の外観側面および、少なくともそれと直交した面の一部に配置されたことを特徴とする請求項１に記載の撮像装置。
【請求項４】
前記直交した面は、撮像装置（１）の被締結部（３２）を備えた面を示したことを特徴とする請求項１に記載の撮像装置。
【請求項５】
前記開閉可能な蓋（３３）にはアンテナコイル（３８）の配置を示す指標（４７）が少なくとも２か所に設けられていることを特徴とする請求項１乃至請求項３の何れか一項に記載の撮像装置。
【発明の詳細な説明】
【技術分野】
【０００１】
本発明は、撮像装置に関し、特に外部通信機器と近距離無線通信を行う撮像装置に関するものである。
【背景技術】
【０００２】
ＮＦＣ（Ｎｅａｒ  Ｆｉｅｌｄ  Ｃｏｍｍｕｎｉｃａｔｉｏｎ）やＱｉのように、電子機器にケーブルや金属端子を接することなく機器間双方のアンテナコイルによる誘導電流を用いて近距離無線データ送受信や電力受給を行うシステムが知られている。
【０００３】
このような近距離無線通信・充電システムでは、電子機器本体側に設けられたアンテナコイルと、外部通信機器に設けられたアンテナコイルの距離、位置や向きにより通信効率が大きく左右されるため、双方のアンテナコイルの最適なレイアウトが課題となっている。
【０００４】
この課題を解決するため、例えば、特許文献１では、カメラ等の電子機器内部に複数の通信アンテナコイルを配置し、外部通信機器と通信を行う際に最も通信効率の良いアンテナコイルを選択する技術が開示されている。
【０００５】
特許文献２では、アンテナコイルを電子機器本体の二次電池カバー内に配置し、電池カバーの中空部分を有効利用することで電子機器本体を小型化する技術が開示されている。
【先行技術文献】
【特許文献】
【０００６】
【特許文献１】特開２０１１−１２５１３８号公報
【特許文献２】特開２００３−１２５５４４号公報
【発明の概要】
【発明が解決しようとする課題】
【０００７】
しかしながら、上述の特許文献１に開示された従来技術では、複数のアンテナコイルを搭載しているためコストアップとなる。
【０００８】
特許文献２に開示された従来技術では、カメラ本体側に外部電源装置などのアクセサリを装着した場合、本体側のアンテナと外部通信機器側のアンテナの距離が遠くなるため、通信効率が低下してしまう。特に一眼レフカメラなどの撮像装置の場合、バッテリーグリップやワイヤレストランスミッターなどのアクセサリが多数あるため、これらを装着した際の通信効率確保が課題である。
【０００９】
そこで、本発明の目的は、コストアップすることなく、かつ撮像装置にアクセサリが取り付けられた際も通信効率を損なわないことを可能にした撮像装置を提供することである。
【課題を解決するための手段】
【００１０】
上記目的を達成するための本発明に係る撮像装置の構成は、
外部通信機器（２）と近距離無線通信可能な無線送受信手段（３８）を備えた撮像装置（１）において、
前記撮像装置（１）には開閉可能な連結部（３７）と、外部通信機器（２）と近距離無線通信可能な無線送受信手段（３８）を有する開閉蓋（３３）とを備えたことを特徴とする。
【発明の効果】
【００１１】
本発明によれば、近距離無線通信システムにおいて、複数の通信手段を設ける必要が無いためコストアップすることなく、かつ電子機器にアクセサリが取り付けられた際も通信効率を損なわないことを可能にした電子機器を提供することができる。
【図面の簡単な説明】
【００１２】
【図１】本発明の実施形態である撮像装置と近距離無線通信システムの斜視図
【図２】（ａ）本発明の実施形態である撮像装置をユーザが把持した状態を示す上面斜視図、（ｂ）本発明の実施形態である撮像装置をユーザが把持した状態を示す下面斜視図
【図３】本発明の実施形態である撮像装置と外部電源装置などのアクセサリを接続した状態を示した斜視図
【図４】（ａ）本発明の第１の実施形態である撮像装置を示した下面斜視図、（ｂ）本発明の第１の実施形態である端子蓋の構成を示した分解斜視図
【図５（ａ）】本発明の第１の実施形態である撮像装置と外部通信機器が無線通信を行っている状態を示した図
【図５（ｂ）】本発明の第１の実施形態である外部電源装置が接続された撮像装置と外部通信機器が無線通信を行っている状態を示した図
【図５（ｃ）】本発明の第１の実施形態である外部電源装置が接続された撮像装置と外部通信機器が無線通信を行っている状態を示した斜視図
【図６】（ａ）本発明の第２の実施形態である端子蓋を撮像装置内部から見た分解斜視図、（ｂ）本発明の第２の実施形態である端子蓋を撮像装置外部から見た分解斜視図、
【図７】本発明の第２の実施形態である外部電源装置が接続された撮像装置と外部通信機器が無線通信を行っている状態を示した図
【発明を実施するための形態】
【００１３】
以下に、本発明の好ましい実施の形態を、添付の図面に基づいて詳細に説明する。
【実施例１】
【００１４】
図１は、本発明の第１の実施形態にかかわる撮像装置及び撮像装置と近距離無線通信を行う外部通信機器の斜視図である。図１において、１は電子機器本体である撮像装置、２は外部通信機器、１０１は撮像装置１に搭載されたアンテナコイル、２０１は外部通信機器２に搭載されたアンテナコイルである。近距離無線通信システムでは、撮像装置１を外部通信機器２に対して、撮像装置側アンテナコイル１０１と外部通信機器側アンテナコイル２０１を対向させた位置に置く。一方のアンテナコイルに電流を流すことでもう一方のアンテナコイルに磁界による誘導電流が流れ、撮像装置１と外部通信機器２とのデータ通信、受給電が無線通信により行われる。
【００１５】
図２は本発明の第１の実施形態にかかわる撮像装置をユーザが把持した状態を示した図である。図２（ａ）は上記状態を示す上面斜視図、図２（ｂ）は上記状態を示す下面斜視図である。まず初めに、撮像装置上部の構成部品について説明する。
【００１６】
図２（ａ）において、本実施例１の撮像装置は、撮像装置１の外装部材３に設けられた電源スイッチ４によって撮像装置１を起動したり終了したりすることができる。ユーザが撮影状態の時には、図２に示すように、撮影者側から見て右側に位置している外装部材３の一部であるグリップ部５を把持し、撮像装置上部には、撮影者がグリップ部５を把持した状態で人差し指で操作しやすい位置にレリーズ釦６が設けられている。なお、図２（ａ）３００はユーザの手を示している。
【００１７】
レリーズ釦６の押圧方向には第一の位置と第二の位置に押端部を備えており、一般的に第一の位置ではシャッタースピードや絞り値を決定し、第二の位置では実際の撮影行為が行われる。
【００１８】
撮像装置上部のグリップ部側には、撮影モード、例えば、撮像装置の制御に全てお任せするオートモードや、撮影者がシャッタースピードや絞り値を細かく設定できるマニュアルモードといったモード切替可能なモードダイヤル７が設けられている。
【００１９】
また、撮影者がモードダイヤル７によってマニュアルモードを選択した際には、例えば絞り値やシャッタースピードの設定変更をする際に使用されるダイヤル操作部材であるメイン電子ダイヤル８が設置されている。
【００２０】
メイン電子ダイヤル８はレリーズ釦６とモードダイヤル７の中間付近に設けられており、撮影ポジションを崩さずにメイン電子ダイヤル８による設定変更後、またすぐに撮影動作に移ることが可能となっている。
【００２１】
撮像装置上部には、撮影環境下の光量不足を補うためのストロボ装置９が設けられており、電源スイッチ４がオフの状態の際には撮像装置１の収納待機位置に格納され、撮像装置１より突出した不図示の緊定レバーによって係止されている。
【００２２】
撮像装置上部中央にある１０は例えば撮影者が撮像装置１に内蔵されたストロボ装置９の発光量では能力不足と感じた場合に、発光能力の高い外付け用のストロボを着脱可能とする座金である。
【００２３】
次に、撮像装置背面部の構成部品について説明する。図２（ｂ）において、メニュー選択釦１１は、ＬＣＤ等の表示装置１２に表示される各メニュー項目の設定や画像の再生、消去、情報表示を行うための釦である。インフォメーション釦１３はＬＣＤ等の表示装置１２に表示される撮像装置１の各種設定情報の表示を行うための釦である。
【００２４】
１４は焦点検出領域選択釦であり、あらかじめ撮像装置１の機能で決定された被写体の焦点箇所を撮影者が任意に選択する際に操作する釦である。ＡＥロック釦１５は、露出値のロック等に用いられる釦である。操作部１６は、円盤状の押圧操作部材とその中央部に設けられた押圧操作釦１７を備える。円盤状の押圧操作部材１６は円周方向に４つの突起１６ａ〜１６ｄが略等間隔に設けられており、４方向に傾倒操作が可能になっているため、例えば前記メニュー選択釦１１を押した後に、ユーザが各メニュー項目を移動させる際に用いることができる。
【００２５】
また、前記押圧操作釦１７は、前記円盤状の押圧操作部材１６によってメニュー項目を移動させた後に、選択決定を行うための釦である。再生釦１８は前記メモリカードに保存された撮影データをＬＣＤ等の表示装置１２に表示させるための釦である。削除釦１９は前記メモリカードに保存された撮影データを削除するための釦である。露出補正釦２０は撮影画像の撮影結果が暗いとき或いは明るいときに、思い通りの明るさに補正する補正モードに入るための釦であり、前記メインダイヤル８を操作することによって、補正量を設定することが可能である。
【００２６】
次に、撮像装置下面部の構成部品について説明する。図２（ｂ）において、撮像装置１には撮像装置に着脱可能な二次電池を格納する不図示の電池室および、二次電池を着脱する際に開閉動作するための電池蓋３０がある。なお、電池蓋３０は撮像装置１に設けられたヒンジ取り付け部３１に対して回転可能に取り付けられている。撮像装置下面の略中央部には、外部電源装置などのアクセサリを接続したり、撮像装置１を三脚に固定したりする際に用いる被締結部３２がある。
【００２７】
次に、ＬＣＤ等の表示装置１２に対してグリップ部と反対側に位置する撮像装置側面部の構成部品について説明する。撮像装置側面部には撮影データを外部電子機器に転送する際に用いる不図示の外部インターフェース端子および周辺機器用端子を備えている。また、前記外部インターフェース端子および周辺機器用端子にはそれらを保護するための端子蓋３３が設けられており、必要に応じて端子蓋３３が開閉可能な構成となっている。
【００２８】
図３は本発明の第１の実施形態にかかわる撮像装置下面に、外部電源装置４０などのアクセサリを接続した状態を示した斜視図である。外部電源装置４０は大容量電源を搭載し、さらに、レリーズ釦４１等の操作部を備えており、ユーザに対する操作性を向上するアクセサリ部品である。外部電源装置４０は、不図示のタワー部、タワー部先端に設けられた通信ピンを備えており、略中央部に設けられた不図示の締結部を撮像装置の被締結部３２に接続した際、撮像装置１と通信を行う。
【００２９】
撮像装置１と外部通信機器２の近距離無線通信を行う場合には、互いに設けられたアンテナコイルの距離が重要となるため、アンテナコイルをなるべく撮像装置表面近傍に配置するのが望ましい。
【００３０】
そこで、本発明における撮像装置１のアンテナコイルの配置について以下説明する。まず、アンテナコイルを撮像装置のグリップ部側面部に配置した場合、図２（ａ）に示すように、ユーザがグリップ部５を把持した際、アンテナコイルからの通信電波がユーザの手の平や指によって遮られてしまい、通信不可能な状況が発生する。
【００３１】
このため、外部通信機器２と近接通信を行う場合は、ユーザはグリップ部を把持することができず、グリップ部以外を把持する必要がある。例えば、撮像装置１より大きくてハンドリング性の良くない外部通信機器２と近距離無線通信を行う場合、撮像装置１のグリップ部側を外部通信機器２と接触させる必要がある。
【００３２】
しかし、ユーザはグリップ部５を把持することができないため、上記接続操作性が低下することが予想される。
【００３３】
次に、撮像装置下面部にアンテナコイルを配置した場合、図３に示すように、アンテナコイルと外部通信機器２の間に外部電源装置４０などといったアクセサリが存在することで通信距離が離れてしまう。このため、通信効率の低下や場合によっては通信不能の恐れがある。また、撮像装置背面部にアンテナコイルを配置した場合、無線通信中にＬＣＤ等の表示部１２の確認・操作が難しくなる。
【００３４】
撮像装置前面部および上部にアンテナコイルを配置した場合、ストロボ装置９や撮影レンズ、グリップ部５などの部品や形状によって撮像装置表面が凹凸状になっているため、外部通信機器２との通信距離を近接に保つことが困難である。
【００３５】
一方、ＬＣＤ等の表示装置１２に対してグリップ部５と反対側に位置する撮像装置側面部にアンテナコイルを配置した場合には、上記いずれの課題も解決することが可能となる。
【００３６】
また、この場合、ＮＦＣが搭載されたスマートフォンといった多機能型携帯機器と近距離通信を行う際でも、ユーザは撮像装置１のグリップ部５をしっかり把持した状態で前記多機能型携帯機器を撮像装置１の側面部に容易に接触させることが可能である。
【００３７】
以上より、本実施例では、撮像装置の設けるアンテナコイルの理想的な配置をＬＣＤ等の表示装置１２に対してグリップ部５と反対側に位置する撮像装置側面部として以下説明する。
【００３８】
図４は端子蓋３３について本実施例の特徴的な構成を模式的に示した模式図である。
図４（ａ）は本実施例の撮像装置１の下面斜視図を示した図である。図４（ｂ）は端子蓋３３を撮像装置側から見た分解斜視図である。端子蓋３３は外カバー３４、内カバー３５、フレキシブル基板３６、ヒンジ取り付け部３７から構成されている。外カバー３４は撮像装置側面部および、それに直交する底面の一部を覆った形状をしている。外カバー３４の内部にはフレキシブル基板３６が配置されており、フレキシブル基板３６上にアンテナコイル３８がパターン形成されている。
【００３９】
内カバー３５は、アンテナコイル３８を保護するためのものである。アンテナコイル３８は端子蓋のヒンジ取り付け部３７から離れた位置３８（ａ）（以下先端側と称す）から撮像装置の底面の一部３８（ｂ）まで延長して配置されている。なお、外カバー３４の材質は非導電性のエンジニアリング・プラスチックを用いているため、アンテナコイル３８の通信電波を妨げることはない。
【００４０】
アンテナコイル３８は前記フレキシブル基板３６によってヒンジ取り付け部３７を介して撮像装置１と電気的に接続されている。この接続手段に関して、例えばヒンジ取り付け部３７の軸を中空構造にし、その内部にフレキシブル基板３６を通して撮像装置１に備えている不図示のメイン基板とコネクタ接続部３８（ｃ）を介して接続するなどといった公知の技術を用いることで実現可能である。
【００４１】
ここで、前述したフレキシブル基板３６上のアンテナコイル３８の配置に関して、図５を用いて説明する。図５は本実施例の特徴的な構成である端子蓋３４を備えた撮像装置１と外部通信機器２との無線通信状態を模式的に示した模式図である。図５（ａ）は撮像装置１と外部通信機器２が無線通信を行っている状態を示した図、図５（ｂ）は外部電源装置１が接続された撮像装置１と外部通信機器２が無線通信を行っている状態を示した図である。図５（ｃ）は外部電源装置１が接続された撮像装置１と外部通信機器２が無線通信を行っている状態の斜視図である。
【００４２】
まず図５（ａ）を用いて、フレキシブル基板３６上のアンテナコイル３８が撮像装置の底面の一部３８（ｂ）まで延長されて配置されている理由を以下に示す。図５（ａ）に示すように、撮像装置１とＮＦＣなどを搭載した外部通信機器２の無線通信を行う際、撮像装置１の姿勢を考慮すると、一般的に撮像装置１の底面を外部通信機器２の上に乗せるようにして接続するのが望ましい。
本実施例ではアンテナコイル３８を撮像装置１の底面の一部３８（ｂ）まで延長して配置しているため、上記姿勢においても、端子蓋３３に設けられたアンテナコイル３８と、外部通信機器２に設けられたアンテナコイル２０１の距離を近く保つことができる。このため、通信効率を低下させることなく近距離無線通信が可能となる。
【００４３】
次に図５（ｂ）、（ｃ）を用いて、アンテナコイル３８が端子蓋３３の先端側３８（ａ）まで延長して配置されている理由を以下に示す。前述の通り、撮像装置１に外部電源装置４０を装着した場合、撮像装置１に設けられたアンテナコイル３８と外部通信機器に設けられたアンテナコイル２０１を近づける手段が課題となっている。
【００４４】
本実施例では、ヒンジ取り付け部３７が撮像装置底面の外側に設けられており、外部電源装置４０を装着した状態においてもヒンジ取り付け部３７を中心に端子蓋３３が回転可能となっている。なお、本実施例の場合、端子蓋３３がヒンジ取り付け部３７に対して回転可能となるよう、外部電源装置４０に対して端子蓋３３の回転軌跡に相当する逃がし部４５を設けている。
【００４５】
また、端子蓋３３の長手方向の長さは外部電源装置４０の厚みより長く設定することで、撮像装置下面に外部電源装置４０などのカメラアクセサリが装着された状態においても、端子蓋３３を回転させることで端子蓋３３の先端側を外部通信機器２と接触させることが可能である。
【００４６】
さらに、端子蓋３３のヒンジ取り付け部３７には、端子蓋３３を開き側に付勢するために例えばコイルバネといった不図示の付勢部材が設けられている。
【００４７】
端子蓋３３の先端側にアンテナコイル３８を配置しているため、撮像装置下面に外部電源装置４０などのカメラアクセサリが装着された状態においても、端子蓋３３を回転させることで、アンテナコイル３８を外部通信機器２に接触・保持させることが可能となる。これにより通信効率の低下や通信不可といった状況を回避することが可能となる。
【００４８】
一般的に、アンテナコイル３８の位置を示す指標が、外装部材３に設けられている。
これは、撮像装置１と外部通信機器２と近距離無線通信する際、アンテナ同士の位置合わせを迷うことなく行うためである。本実施例では、端子蓋３３を閉めた状態と開けた状態の両状態で近接通信を行う必要がある。
【００４９】
そこで、両状態におけるアンテナコイルの位置合わせが容易に行えるよう、アンテナコイルの配置を示す指標４７（ａ）、（ｂ）を、外カバー部指標４７（ａ）と内カバー部指標４７（ｂ）の２か所に設けている。こうすることで、端子蓋３３に設けられたアンテナコイル３８と外部通信機器２に設けられたアンテナコイル２０１の位置を迷うことなく位置合わせが可能となる。
【００５０】
以上より、本実施例によると、形状およびアンテナコイルの配置を工夫することで、コストアップすることなく、外部電源装置４０などのアクセサリの装着有無どちらの場合においても外部通信機器２と良好な通信効率を得ることが可能となる。
【実施例２】
【００５１】
以下図６を用いて本発明の第２の実施例について、添付の図面に基づいて詳細に説明する。図６（ａ）、（ｂ）は端子蓋３３について本実施例の特徴的な構成を模式的に示した分解斜視図である。
【００５２】
端子蓋３３は外カバー５０、内カバー５１、フレキシブル基板５２、連結形状部５３から構成されている。外カバー５０は実施例１と同様、撮像装置側面部および、それに直交する底面の一部を覆った形状をしている。外カバー５０の内部および連結形状部５３にはフレキシブル基板５２が配置されており、フレキシブル基板５２上にアンテナコイル３８が配置されている。
【００５３】
アンテナコイル３８は端子蓋３３の撮像装置の底面の一部３８（ｂ）まで延長されて配置されている。なお、外カバー５０の材質は第１の実施例同様、非導電性のエンジニアリング・プラスチックを用いているため、アンテナコイル３８の通信電波を妨げることはない。
【００５４】
端子蓋３３の略中央部には連結部形状５３を設けており、撮像装置本体内に設けた不図示の巻き取り機構によって、必要に応じてユーザが端子蓋３３を自由に引き出すことが可能である。このため、連結形状部５３の材質はゴム状の弾力性を有するエラストマなどが望ましい。
【００５５】
ここで、前述したフレキシブル基板５２上のアンテナコイル３８の配置に関して、図７を用いて説明する。なお、フレキシブル基板５２上のアンテナコイル３８が撮像装置の底面の一部まで延長されて配置されている理由については、本発明の実施例１と同様のため説明は省略する。
【００５６】
図７は外部電源装置４０が接続された撮像装置１と外部通信機器２が無線通信を行っている状態を模式的に示した模式図である。
【００５７】
前述の通り、撮像装置１に外部電源装置４０を装着した場合、撮像装置１に設けられたアンテナコイル３８と外部通信機器４０に設けられたアンテナコイル２０１を近づける手段が課題となっている。本実施例では、端子蓋３３の略中央部に設けられた連結形状部５３を引き出すことが可能である。
【００５８】
このため、外部電源装置４０が装着された状態で外部通信機器２と無線通信を行う場合、連結形状部５３を引き出すことで、撮像装置１から端子蓋３３を一定距離離すことが可能となる。その後、引き出された端子蓋３３のアンテナコイル３８を外部通信機器のアンテナコイル２０１に接触させることで外部電源装置４０などのカメラアクセサリが装着された場合でも、近接状態を達成することが可能となる。
【００５９】
これにより通信効率の低下や通信不可といった状況を回避することが可能となる。
なお、本実施例の場合、実施例１で示した外部電源装置４０などのアクセサリに対して特別な逃げ形状を設ける必要はない。
【００６０】
また、本実施例においても、第一の実施例同様、端子蓋３３を閉めた状態と開けた状態の両状態で近接通信を行う必要があり、双方のアンテナコイルの位置合わせを容易に行えるよう、アンテナコイルの配置を示す指標４７（ａ）、（ｂ）を、外カバー部指標４７（ａ）と内カバー部指標４７（ｂ）の２か所に設けている。
【００６１】
こうすることで、端子蓋３３に設けられたアンテナコイル３８と外部通信機器２に設けられたアンテナコイル２０１の位置合わせを容易に行うことが可能となる。
【００６２】
以上より、本実施例によると、形状およびアンテナコイルの配置を工夫することで、コストアップすることなく、外部電源装置４０などのアクセサリの装着有無どちらの場合においても外部通信機器２と良好な通信効率を得ることが可能となる。
【００６３】
以上、本発明の好ましい実施形態について説明したが、本発明はこれらの実施形態に限定されず、その要旨の範囲内で種々の変形及び変更が可能である。
【符号の説明】
【００６４】
１  撮像装置、２  外部電源装置、３３  端子蓋、３７  ヒンジ取り付け部、
３８  アンテナコイル（撮像装置側）、２０１  アンテナコイル（外部通信機器側）
【図１】
2015203825.tif 000003
【図３】
2015203825.tif 000004
【図２】
2015203825.tif 000005
【図４】
2015203825.tif 000006
【図５（ａ）】
2015203825.tif 000007
【図５（ｂ）】
2015203825.tif 000008
【図５（ｃ）】
2015203825.tif 000009
【図６】
2015203825.tif 000010
【図７】
2015203825.tif 000011